(57)【要約】【課題】画像形成装置やシート後処理装置などに備えるシート搬送装置において、部品点数を増加したり、大型化したりすることなく、機内冷却効果を高め、機内の部品の機能低下を招いたり、最高温度が安全規格値を超えてしまったりするおそれをなくす。【解決手段】駆動モータ（駆動源）３６の駆動力が駆動ベルト３８を介して駆動ローラ軸３２、３４上の従動プーリ３３、３５に伝達されて駆動ローラ軸上の駆動ローラ１６ａ、１７ａが回転され、その駆動ローラとそれに押し当たる従動ローラとで、用紙・ＯＨＰフィルム等のシートが搬送される。そのようなシート搬送装置において、従動プーリの片側または両側周縁外周に複数のプロペラファン形状４０が形成されている。【選択図】図２
2009107735.tif 000002
【特許請求の範囲】
【請求項１】
駆動源の駆動力が駆動ベルトを介して駆動ローラ軸上の従動プーリに伝達されて前記駆動ローラ軸上の駆動ローラが回転され、その駆動ローラとそれに押し当たる従動ローラとでシートが搬送されるシート搬送装置において、
前記従動プーリの周縁外周に複数のプロペラファン形状が形成されていることを特徴とするシート搬送装置。
【請求項２】
前記複数のプロペラファン形状が前記従動プーリの片側周縁外周に形成されていることを特徴とする、請求項１に記載のシート搬送装置。
【請求項３】
前記複数のプロペラファン形状が前記従動プーリの両側周縁外周に形成されていることを特徴とする、請求項１に記載のシート搬送装置。
【請求項４】
前記従動プーリの両側周縁外周の前記複数のプロペラファン形状が、両側で互い違いに形成されていることを特徴とする、請求項３に記載のシート搬送装置。
【請求項５】
前記プロペラファン形状が形成されている従動プーリが複数備えられていることを特徴とする、請求項１ないし４のいずれか１に記載のシート搬送装置。
【発明の詳細な説明】
【技術分野】
【０００１】
この発明は、複写機、プリンタ、ファクシミリ、印刷機などの画像形成装置や、その画像形成装置に付属してそれと一体または別体に設けられるシート後処理装置などに備えられるシート搬送装置に関する。詳しくは、駆動源の駆動力が駆動ベルトを介して駆動ローラ軸上の従動プーリに伝達されて駆動ローラ軸上の駆動ローラが回転され、その駆動ローラとそれに押し当たる従動ローラとで、用紙・ＯＨＰフィルム等のシートが搬送されるシート搬送装置に関する。
【背景技術】
【０００２】
複写機、プリンタ、ファクシミリなどの画像形成装置で画像形成済みのシートに、仕分け処理や綴じ処理などの後処理を行うシート後処理装置が、これまでに種々提供されてきている。このようなシート後処理装置においては、画像形成装置から一枚目のシートが排出されて後、最終のシートが排出されてシート後処理装置のシート積載部に積載されるまで、そのシート搬送装置の駆動モータが駆動をし続けることとなる。
【０００３】
このため、連続した画像形成枚数が多いときには、駆動モータの温度が上昇し、駆動モータまわりの温度が高くなって、機内の部品の機能低下を招いたり、最高温度が安全規格値を超えてしまったりすることがあった。
【０００４】
そこで、従来のシート後処理装置の中には、例えば特許文献１に記載されるように、画像形成装置との間に外部に通じる風路を形成するとともに、風路から筐体内に通じる複数の機内冷却用通気孔を筐体にあけるものなどがある。
【０００５】
【特許文献１】特開２００３−２２６０５８号公報
【発明の開示】
【発明が解決しようとする課題】
【０００６】
しかしながら、従来の技術では、いずれも十分な機内冷却効果を得ることができず、追加対策として放熱板を設けたり、熱伝導性を持つシート材を備えなければならなかったりし、部品点数が増加したり、大型化したりする問題があった。
【０００７】
そこで、この発明の第１の目的は、画像形成装置やシート後処理装置などに備えるシート搬送装置において、部品点数を増加したり、大型化したりすることなく、機内冷却効果を高め、機内の部品の機能低下を招いたり、最高温度が安全規格値を超えてしまったりするおそれをなくすことにある。
【０００８】
この発明の第２の目的は、簡素な構成で、第１の目的を達成することにある。この発明の第３の目的は、より効果的に第１の目的を達成することにある。この発明の第４の目的は、より効果的かつ効率的に第１の目的を達成することにある。また、この発明の第５の目的は、さらに効果的に第１の目的を達成することにある。
【課題を解決するための手段】
【０００９】
この発明は、上述した第１の目的を達成すべく、駆動モータ等の駆動源の駆動力が駆動ベルトを介して駆動ローラ軸上の従動プーリに伝達されて駆動ローラ軸上の駆動ローラが回転され、その駆動ローラとそれに押し当たる従動ローラとで、用紙・ＯＨＰフィルム等のシートが搬送されるシート搬送装置において、前記従動プーリの周縁外周に複数のプロペラファン形状が形成されていることを特徴とする。
【００１０】
そして、シート搬送時、駆動源の駆動力が駆動ベルトを介して駆動ローラ軸上の従動プーリに伝達されて駆動ローラ軸上の駆動ローラが回転され、その駆動ローラと従動ローラとでシートが搬送されるが、このとき駆動ローラ軸の回転とともに従動プーリが回転されてその周縁外周に形成される複数のプロペラファン形状により空気の対流が惹き起こされ、画像形成装置内やシート後処理装置内などが冷却される。
【００１１】
複数のプロペラファン形状は、上述した第２の目的を達成すべく従動プーリの片側周縁外周に形成されたり、上述した第３の目的を達成すべく両側周縁外周に形成されたりする。後者の場合には、上述した第４の目的を達成すべく、従動プーリの両側周縁外周の複数のプロペラファン形状が、両側で互い違いに形成されているとよい。また、プロペラファン形状が形成されている従動プーリは、上述した第５の目的を達成すべく、複数備えられているとよい。
【発明の効果】
【００１２】
したがって、この発明によれば、従動プーリの周縁外周に複数のプロペラファン形状が形成され、シート搬送時に駆動ローラ軸の回転とともに従動プーリが回転されて複数のプロペラファン形状により空気の対流が惹き起こされ、画像形成装置内やシート後処理装置内などが冷却されるので、プロペラファン形状を従動プーリのフランジ部としても利用し、部品点数を増加したり、大型化したりすることなく、機内冷却効果を高め、機内の部品の機能低下を招いたり、最高温度が安全規格値を超えてしまったりするおそれをなくすことができる。
【００１３】
そして、複数のプロペラファン形状が、従動プーリの片側周縁外周に形成されると、少ないプロペラファン形状による簡素な構成で、効率的にそのような効果を得ることができ、また両側周縁外周に形成されると、プロペラファン形状を増やすことでより効果的に、そのような効果を得ることができる。
【００１４】
一方、従動プーリの両側周縁外周の複数のプロペラファン形状が、両側で互い違いに形成されていると、両側のプロペラファン形状により惹き起こされる風が相殺されることなく、より効果的かつ効率的に上述の効果を得ることができ、プロペラファン形状が形成されている従動プーリが複数備えられていると、機内の異なる場所で空気の対流を複数発生させて、さらに効果的に上述の効果を得ることができる。
【発明を実施するための最良の形態】
【００１５】
以下、図面を参照しつつ、この発明の実施の最良形態につき説明する。
図１には、複写機、プリンタ、ファクシミリ、印刷機などの画像形成装置に接続して設置されるこの発明によるシート後処理装置の全体構成を示す。
【００１６】
図中符号１０は、装置本体である。装置本体１０の右側面上部には、シート入口１１が設けられ、画像形成装置で画像形成済みのシートがここから機内に入る。機内には、固定ガイド板１２と、それに対向して設けられる開閉ガイド板１３および排紙ガイド板１４とで、シート入口１１から機内奥に向けてシート搬送路１５が形成されている。
【００１７】
シート搬送路１５には、シート入口１１の近くに搬送ローラ対１６が設けられ、終端の近くに排紙ローラ対１７が設けられている。２つのローラ対１６、１７のすぐ上流には、それぞれ入口センサ１８、排紙センサ１９が設置されている。
【００１８】
排紙ローラ対１７の下流には、駆動伝達ベルト２０を介して駆動力が伝達される戻しコロ２１が配置される。戻しコロ２１の下方には、整合トレイ２２が備えられている。整合トレイ２２上には、シートの両側を揃える左右一対のサイドフェンス２３が設けられている。また、整合トレイ２２の開口からは、２つのローラ２４間に掛けまわしたベルト２５がのぞいており、そのベルト２５には、ピン２６が立てられている。
【００１９】
一方、整合トレイ２２の上であって、排紙ローラ対１７のすぐ下には、押さえコロ２７が設置されており、シート搬送路１５の下方には、ステイプラ２８が配置されている。また、装置本体１０の左側面下部には、シート出口２９が設けられ、そのシート出口２９から排出されたシートを受ける排紙トレイ３０が装置本体１０の左側面に取り付けられている。
【００２０】
そして、シート入口１１から装置本体１０内に入ったシートは、入口センサ１８で検知されて後、搬送ローラ対１６によりシート搬送路１５を通して搬送され、固定ガイド板１２、開閉ガイド板１３、排紙ガイド板１４で案内されて排紙ローラ対１７位置へと導かれ、排紙センサ１９により検知されて後、排紙ローラ対１７により排紙されて一部を排紙トレイ３０上に載せて整合トレイ２２上に排出される。
【００２１】
整合トレイ２２上に排出されたシートは、戻しコロ２１により図中右方向に戻され、一対のサイドフェンス２３でシートの両側を揃えて整合されて後、押さえコロ２７で押さえられ、この繰り返しにより整合トレイ２２上に複数枚のシートを積載してシート束が形成され、そのシート束にステイプラ２８でステイプルが行われる。
【００２２】
ステイプル後のシート束は、押さえコロ２７を逆転して一定距離戻されて後、ベルト２５の走行により駆動されるピン２６をシート束の後端に掛けてそのピン２６によりシート束の後端を押してシート出口２９から完全に排出され、排紙トレイ３０上にスタックされる。
【００２３】
図２には、搬送ローラ対１６と排紙ローラ対１７の駆動系を示す。
搬送ローラ対１６は、図２中に図示する駆動ローラ１６ａと、上からそれに押し当てる不図示の従動ローラ（図１には図示されている）とで構成される。駆動ローラ１６ａは、駆動ローラ軸３２上に固定して適宜間隔で複数設けられている。駆動ローラ軸３２の端部には、従動プーリ３３が固定して設けられる。
【００２４】
他方、排紙ローラ対１７も、図２中に図示する駆動ローラ１７ａと、上からそれに押し当てる不図示の従動ローラ（図１には図示されている）とで構成される。駆動ローラ１７ａは、駆動ローラ軸３４上に固定して適宜間隔で複数設けられている。駆動ローラ軸３４の端部には、従動プーリ３５が固定して設けられる。
【００２５】
また、図２中符号３６は、駆動モータであり、そのモータ軸には駆動プーリ３７が固定されている。そして、この駆動プーリ３７と、搬送ローラ対１６の駆動ローラ１６ａの駆動ローラ軸３２上に設ける従動プーリ３３と、排紙ローラ対１７の駆動ローラ１７ａの駆動ローラ軸３４上に設ける従動プーリ３５とに、駆動ベルト３８が掛けまわされている。図中符号３９は、駆動ベルト３８に張力を付与するテンションプーリである。
【００２６】
これにより、駆動モータ３６が駆動されると、その駆動力が駆動プーリ３７から駆動ベルト３８に伝達されてその駆動ベルト３８が矢示方向に走行され、従動プーリ３３、３５が回転されて駆動ローラ軸３２、３４が矢示方向に駆動され、それぞれ軸上の駆動ローラ１６ａ、１７ａが不図示の従動ローラとともに回転され、それらの間で挟んでシートが搬送される。
【００２７】
図３〜５には、従動プーリ３３、３５の形状例を示す。
図３（Ａ）および（Ｂ）に示す例では、従動プーリ３３、３５の内側（駆動ローラ１６ａ、１７ａ側）周縁外周にのみ複数のプロペラファン形状４０が適宜間隔で形成されている。外側周縁外周には、複数の突部４１がフランジ状に形成されるだけである。
【００２８】
そして、シート搬送時、駆動ローラ軸３２、３４の回転とともに従動プーリ３３、３５が回転されてその片側周縁外周に形成される複数のプロペラファン形状４０により空気の対流が惹き起こされ、装置本体１０内が冷却されるようになっている。
【００２９】
これにより、プロペラファン形状４０を従動プーリ３３、３５のフランジ部としても利用し、部品点数を増加したり、大型化したりすることなく、機内冷却効果を高め、機内の部品の機能低下を招いたり、最高温度が安全規格値を超えてしまったりするおそれをなくすことができる。また、この例では、プロペラファン形状４０が形成されている従動プーリが２つ備えられているので、機内のそれぞれ異なる場所で空気の対流を発生させて、さらに効果的に機内冷却効果を高めることができる。
【００３０】
図４に示す例では、複数のプロペラファン形状４０が従動プーリ３３、３５の内外両側周縁外周に形成されている。これにより、プロペラファン形状４０を増やすことで、より効果的に機内冷却効果を高めることができる。
【００３１】
図５（Ａ）および（Ｂ）に示す例では、従動プーリ３３、３５の内外両側周縁外周の複数のプロペラファン形状４０が、両側で互い違いに形成されている。このように形成すると、両側のプロペラファン形状４０により惹き起こされる風がぶつかりあって相殺されるようなことなく、より効果的かつ効率的に機内冷却効果を高めることができる。
【図面の簡単な説明】
【００３２】
【図１】画像形成装置に接続して設置されるこの発明によるシート後処理装置の全体構成図である。
【図２】そのシート後処理装置における搬送ローラ対と排紙ローラ対の駆動系を示す斜視図である。
【図３】（Ａ）はその駆動系に使用される従動プーリの一例を、軸方向と直交する方向から見た図、（Ｂ）は軸方向から見た図である。
【図４】その駆動系に使用される従動プーリの他例を、軸方向と直交する方向から見た図である。
【図５】（Ａ）はその駆動系に使用される従動プーリのさらに他例を、軸方向と直交する方向から見た図、（Ｂ）は軸方向から見た図である。
【符号の説明】
【００３３】
１６ａ、１７ａ  駆動ローラ
３２、３４    駆動ローラ軸
３３、３５    従動プーリ
３６    駆動モータ（駆動源）
３７    駆動プーリ
３８    駆動ベルト
３９    テンションプーリ
４０    プロペラファン形状
４１    突部
【図１】
2009107735.tif 000003
【図２】
2009107735.tif 000004
【図３】
2009107735.tif 000005
【図４】
2009107735.tif 000006
【図５】
2009107735.tif 000007